(57)【要約】 【課題】  フード部の前方から嵌合検知を行う。【解決手段】  雌ハウジング１０を雄ハウジング４０のフード部４４に嵌合させる際、嵌合のし始めにおいて金属製のロック部４２はフード部４４の前方から視たときにロック受け部１２の陰に隠れており、嵌合が進行してロック部４２が撓み変形しつつロック受け部１２を乗り越えると、ロック部４２がロック受け部１２に係止されるとともに、フード部４４の前方から目視可能に現れるようになっている。したがって、フード部４４の前方からロック部４２を目視することで両ハウジング１０，４０が正規の嵌合状態にあることを検知できる。【選択図】  図１４
2005209370.tif 000002
【特許請求の範囲】
【請求項１】
互いに嵌合可能な雌雄のコネクタハウジングを備え、このうちの一方のコネクタハウジングには、前面から他方のコネクタハウジングを挿入可能なフード部が設けられ、前記フード部の内側面には、金属製のロック部が形成され、前記他方のコネクタハウジングの外側面には、前記ロック部と弾性的に係合可能なロック受け部が形成され、
前記他方のコネクタハウジングを前記フード部に嵌合させる際、嵌合のし始めにおいて前記ロック部は前記フード部の前方から視たときに前記ロック受け部の陰に隠れており、嵌合が進行して前記ロック部と前記ロック受け部のいずれか一方が他方を撓み変形しつつ乗り越えると、前記ロック部は前記ロック受け部に係止されるとともに、前記フード部の前方から目視可能に現れるようになっていることを特徴とするコネクタ。
【請求項２】
前記フード部の外側面には、前記一方のコネクタハウジングを回路基板に取付けるための金属製の固定部材が装着されており、この固定部材の一部が、前記フード部の壁を貫通して前記フード部の内側面に臨むことで前記ロック部が構成されていることを特徴とするコネクタ。
【発明の詳細な説明】
【技術分野】
【０００１】
本発明は、コネクタに関する。
【背景技術】
【０００２】
従来より、コネクタとしては、以下の特許文献１に記載のものが知られている。このものは、互いに嵌合可能な雌雄のハウジングを備え、雄側のハウジングには、雄端子金具の周囲を取り囲むようにしてフード部が形成され、フード部の上壁には、ロック孔が貫通して形成されている。一方、雌側のハウジングには、ロック孔に弾性係合可能なロック突部が形成されている。両ハウジングの嵌合過程では、フード部が外側に撓み変形することでロック突部のフード部内への挿入が許容され、両ハウジングが正規嵌合されると、フード部が元位置に弾性復元してロック突部がロック孔に係合してロックされるようになっている。
【特許文献１】特開２００２−２１６９０１公報
【発明の開示】
【発明が解決しようとする課題】
【０００３】
上記のコネクタは、上方からロック孔を視たときに、ロック孔にロック突部が係合していることを目視することで、両ハウジングが正規嵌合していることを検知できるようになっている。しかし、狭いスペースにコネクタを配する場合やコネクタの周囲に多くの電装部品等が存在する場合には、作業者が上方からロック孔を視ることができないから、両ハウジングの嵌合状態を検知することもできなくなる。
かかる場合、フード部の前方に雌側のハウジングの進入を許容するためのスペースがあいているから、フード部の前方からロック状態を視ることができれば望ましいが、フード部の前面が雌側のハウジングに対する嵌合面となっていることに起因し、従来の技術ではこれに対応することができないといった問題がある。  
【０００４】
本発明は上記のような事情に基づいて完成されたものであって、フード部の前方から嵌合検知を行えるようにすることを目的とする。
【課題を解決するための手段】
【０００５】
上記の目的を達成するための手段として、請求項１の発明は、互いに嵌合可能な雌雄のコネクタハウジングを備え、このうちの一方のコネクタハウジングには、前面から他方のコネクタハウジングを挿入可能なフード部が設けられ、このフード部の内側面には、金属製のロック部が形成され、前記他方のコネクタハウジングの外側面には、前記ロック部と弾性的に係合可能なロック受け部が形成され、前記他方のコネクタハウジングを前記フード部に嵌合させる際、嵌合のし始めにおいて前記ロック部は前記フード部の前方から視たときに前記ロック受け部の陰に隠れており、嵌合が進行して前記ロック部と前記ロック受け部のいずれか一方が他方を撓み変形しつつ乗り越えると、前記ロック部は前記ロック受け部に係止されるとともに、前記フード部の前方から目視可能に現れるようになっている構成としたところに特徴を有する。
【０００６】
請求項２の発明は、請求項１に記載のものにおいて、前記フード部の外側面には、前記一方のコネクタハウジングを回路基板に取付けるための金属製の固定部材が装着されており、この固定部材の一部が、前記フード部の壁を貫通して前記フード部の内側面に臨むことで前記ロック部が構成されているところに特徴を有する。
【発明の効果】
【０００７】
＜請求項１の発明＞
他方のコネクタハウジングをフード部に嵌合させる際、嵌合のし始めにおいて金属製のロック部がフード部の前方から視てロック受け部の影に隠れており、嵌合が進行してロック部とロック受け部のいずれか一方が他方を撓み変形しつつ弾性的に乗り越えると、ロック部がロック受け部に係止されるとともにフード部の前方から目視可能に現れるようになっているから、フード部の前方からロック部が目視されることをもって両コネクタハウジングが正規嵌合状態に至ったことを検知できる。この場合に、ロック部が金属光沢を発するから、視認性が良好であり、また、このロック部に光沢めっきを施せば、視認性がより一層良好となる。  
【０００８】
＜請求項２の発明＞
フード部の外側面に一方のコネクタハウジングを回路基板に取付けるための金属製の固定部材が装着されており、この固定部材の一部がフード部の壁を貫通してフード部の内側面に臨むことでロック部が構成されているから、固定部材の一部によってロック部を賄うことができ、部品点数を削減できる。特に、固定部材が金属製であることから、回路基板に対して半田付けにより固定でき、作業性が良好となる。
【発明を実施するための最良の形態】
【０００９】
＜実施形態１＞
本発明の実施形態１を図１ないし図１４によって説明する。本実施形態のコネクタは、互いに嵌合可能な雌雄のハウジング１０，４０を備え、雌ハウジング１０（本発明の他方のコネクタハウジングに相当する）に形成されたロックアーム１１が雄ハウジング４０（本発明の一方のコネクタハウジングに相当する）に形成された被ロック部４１に係止することで両ハウジング１０，４０が嵌合状態に保持されるようになっている。また、コネクタは、上記のロック構造とは別に、雄ハウジング４０に形成されたロック部４２が雌ハウジング１０に形成されたロック受け部１２に係止するロック構造をも備えている。なお、以下の説明において、前後方向については、両ハウジング１０，４０の嵌合面側を前方とする。
【００１０】
まず、雌ハウジング１０を説明する。雌ハウジング１０は、合成樹脂材により全体として横長のブロック状をなし、図１２に示すように、後方から雌端子金具８０を挿入可能なキャビティ１３が前後に貫通して形成されている。雌端子金具８０は、周知の形態で構成され、前後方向に開口する角筒状の本体部８１と、その後方に設けられて電線Ｗの端末に固着されるバレル部８２とを備え、本体部８１内には、雄端子金具９０と弾性接触可能な舌片８３が形成されている。各キャビティ１３は、図１及び図２に示すように、上下方向に２段でかつ幅方向に多数列が千鳥配置となって配設されている。
【００１１】
各キャビティ１３の上壁と下壁とには、図９に示すように、所定形状のスリット１４を入れることで各スリット１４間で片持ち状をなすランス１５が形成されている。ランス１５は、上下方向に弾性変形可能とされ、雌端子金具８０の本体部８１における後端あご部８４を係止することで雌端子金具８０を抜け止め状態で保持可能としている。このランス１５の外面は、雌ハウジング１０の上下両面と連続して外部に露出されている。よって、ランス１５は、自身の弾性変形によって雌ハウジング１０の外面外方に突出するから、この状態で両ハウジング１０，４０を嵌合しようとしても、雄ハウジング４０の前端縁にランス１５が衝突することで嵌合動作が規制可能とされている。
また、雌ハウジング１０の下面の後端部には、図１に示すように、雌ハウジング１０を嵌合離脱させる際に作業者の手指が掛る指掛け部１６が突設されている。指掛け部１６は、雌ハウジング１０の幅方向中央部において幅広に形成され、雌ハウジング１０の強度向上にも寄与する形態とされている。
【００１２】
雌ハウジング１０の上面の幅方向中央部には、凹部１７が形成され、既述したロックアーム１１は、この凹部１７の底面から突出して形成されている。ロックアーム１１は、前後方向に沿って延出されるアーム部１８と、その後端部に連なるとともに幅方向に沿って延出される押圧操作部１９とにより構成されている。このうちアーム部１１は、図１２に示すように、その基端部を凹部１７の底面における前端部に連結させており、その基端部を支点として弾性変形可能とされている。そして、アーム部１１の上面は、雌ハウジング１０の上面とほぼ同じ高さ位置に揃うように設定されている。アーム部１１の幅方向両端縁側方には、上段側のキャビティ１３が位置しており、これらキャビティ１３は、アーム部１１を間に挟んで左右に同数配置されている。また、アーム部１１の上面における長さ方向中央部には、雄ハウジング４０の被ロック部４１に対して係止可能なロック突起２０が上方に突出して形成されている。
【００１３】
押圧操作部１９は、その幅方向中央部をアーム部１１の後端部に連結させるとともにその幅方向両端部を雌ハウジング１０に連結させており、全体として雌ハウジング１０の上方を幅方向に架け渡たすアーチ状に形成されている。この押圧操作部１９を押圧操作することで、アーム部１１が下方に弾性変形してロックアーム１１によるロックの解除が可能とされている。また、押圧操作部１９の幅方向両端部は、雌ハウジング１０の上面から上方に突出する突部２１に一体に接続されており、この突部２１の突出高さが押圧操作部１９よりも上位に位置するよう設定されることで、押圧操作部１９が保護されるようになっている。
【００１４】
雌ハウジング１０の両側面には、図９に示すように、左右一対の溝２２が凹設されている。この溝２２は、断面コの字形をなし、前後方向の全域に亘って延出することで雌ハウジング１０の前後両端面に開口して形成されている。そして、溝２２の途中位置には、雄ハウジング４０に設けられたロック部４２（後述する）と弾性的に係合可能なロック受け部１２が形成されている。
【００１５】
ロック受け部１２は、雌ハウジング１０の前端縁寄りの位置にて溝幅に相当する高さ寸法でかつ溝２２の深さに相当する突出寸法をもって溝２２の底面から突出して形成され、該溝２２の途中位置を塞き止めて埋めるような形態とされている。ロック受け部１２の前面は、幅方向端縁側に向かって昇り勾配をなす嵌合案内面２３とされており、両ハウジング１０，４０の嵌合時には、ここにロック部４２が乗り上げられて嵌合動作を誘導するようになっている。一方、ロック受け部１２の後面は、幅方向端縁側に向かって昇り勾配をなす離脱案内面２４とされており、両ハウジング１０，４０の離脱時には、ここにロック部４２が乗り上げられて離脱動作を誘導するようになっている。嵌合案内面２３と離脱案内面２４とは、前後方向中心を挟んで対称形をなしている。
【００１６】
続いて雄ハウジング４０を説明する。雄ハウジング４０は、図３及び図１２に示すように、合成樹脂材により形成されるハウジング本体４３と、同じく合成樹脂材により形成されてこのハウジング本体４３から前方へ突出する略角筒状のフード部４４とを備えている。そして、雄ハウジング４０は、回路基板９５に対して固定部材４７を介して取り付け固定された状態で、回路基板９５とともにアルミボックス等のケース９６に設けられた収容部９７に挿入保持されるようになっており、これにより、嵌合面としての前面のみが外部に露出され、残りの壁面が周囲をケース９６により覆われて隠蔽された形態とされている。
【００１７】
ハウジング本体４３には、後方から雄端子金具９０を挿入可能な端子挿入孔４５が形成されている。各端子挿入孔４５は、上下２段でかつ幅方向に千鳥配置とされ、雌ハウジング１０の各キャビティと対応する位置に配設されている。雄端子金具９０は、周知の形態で構成され、フード部４４内に突出するとともにハウジング本体４３の後端面から後方へ突出して途中部位が一旦下方へ直角曲げされたあと後端部が再び後方へ直角曲げされた形態とされている。雄端子金具のうちフード部４４内に突出する部分が雌ハウジング１０に収容された雌端子金具８０と電気的に接触可能とされ、その後端部が回路基板９５にプリントされた導通路に半田付けにより接続可能とされている。
【００１８】
フード部４４には、前方から雌ハウジング１０が挿入可能とされている。フード部４４の上壁の幅方向中央部には、後面に開口するとともにロックアーム１１のロック突起２０を逃すための逃し凹部４６が形成されており、その前端部には、下方へ突出することでロック突起２０に係止可能な被ロック部４１が形成されている。
【００１９】
また、雄ハウジング４０におけるフード部４４側には、上面から両側面にかけた外側面領域を除肉するようにして固定部材４７を取り付けるための装着部５０が形成されている。装着部５０は、図４及び図７に示すように、雄ハウジング４０の前後方向ほぼ中央部において幅広帯状底面を有する凹所として形成されるとともに、その両側面の前後両端縁に沿った壁面を切り欠くような態様の装着溝５１を備えて構成されている。また、装着部５０の両側面における高さ方向中央部には、後述するロック部４２が貫通可能な装着孔５２が形成されている。装着孔５２は、装着部５０の両側面を前後方向に横切るような形態の長孔とされている。
【００２０】
固定部材４７は、平板状の金属板を切断したあと折り曲げ加工を行うことで形成され、図４及び図６に示すように、天板４８と、この天板４８の両端縁から直角に突出する左右一対の側板４９と、この両側板４９に一体に形成されたロック部４２とにより構成されている。この固定部材４７は、上方から雄ハウジング４０を跨ぐようにして装着部５０に取り付けられる。具体的には、両側板４９の前後両端縁を装着溝５１に対して上方から嵌入させ、その状態で全体を下方へ押し込むようにする。固定部材４７が正規に装着されると、天板４８が装着部５０の上面に当接してその上面が雄ハウジング４０の上面とほぼ面一になるとともに、両側板４９が装着部５０の両側面に当接してその両端縁部が雄ハウジング４０の下面とほぼ面一になる。両側板４９の両端縁部は、外側へ向けて直角に曲げられた固定部４７Ａとされ、この固定部４７Ａが回路基板９５に対して半田付けにより固定可能とされている。固定部４７Ａの前後方向の幅寸法は、両側板４９の他の部分と比べて幅狭に形成されており、固定部材４７を雄ハウジング４０に装着させる際に、装着溝５１を形成する壁面と干渉しないように設定されている。
【００２１】
さて、ロック部４２は、両側板４９の後端縁から前方へ向けて入れられた一対の切り込み５５間に形成される切り込み片を内側に叩き出すことで形成されている。詳しくはロック部４２は、全体としてほぼ一定幅の帯状をなし、両側板４９の前端縁近傍位置にその基端部を一体に接続させつつ後方へ向けて片持ち状に延出して形成され、その延出方向のほぼ中央部を内側に屈曲させることで山型に形成されている。このロック部４２は、固定部材４７が雄ハウジング４０に装着されたときに、装着孔５２を貫通してフード部４４の内側面に臨み、フード部４４内に挿入される雌ハウジング１０のロック受け部１２と係合可能とされている。  
【００２２】
そして、ロック部４２は、両ハウジング１０，４０の嵌合開始時に雌ハウジング１０の溝２２に挿入され、嵌合が進行すると溝２２の途中に設けられたロック受け部１２と摺動することで外側に撓み変形され、さらに嵌合が進行するとロック受け部１２を乗り越えるとともに元姿勢に弾性復元されてロック受け部１２を係止するようになっている。ロック受け部１２を乗り越える際、ロック部４２の基端部から山の頂点に至る傾斜部分がロック受け部１２の嵌合案内面２３に摺動可能とされているから、嵌合動作の円滑性が保障されている。一方、ロック部４２の山の頂点から自由端に至る傾斜部分が両ハウジング１０，４０の離脱時にロック受け部１２の離脱案内面２４に摺動可能とされているから、離脱動作の円滑性も保障されている。
【００２３】
次に、本実施形態の作用を説明する。まず、図５及び図８に示すように、雄ハウジング４０の装着部５０に対して固定部材４７を上方から跨ぐようにして取り付ける。このとき、ロック部４２は、外側に撓み変形したあと装着孔５２に突入されてフード部４４の内側面に臨むようになっている。続いて、固定部材４７を回路基板９５の所定位置に半田付けにより固定させるとともに、雄端子金具９０の後端部を回路基板９５の導体路に半田付けにより接続させる。そして、この回路基板９５に固定された雄ハウジング４０をケース９６の収容部９７に収容してフード部４４の前面のみを外部に露出させ、その状態で雌ハウジング１０を嵌合する作業を行う。
【００２４】
両ハウジング１０，４０の嵌合のし始めにおいては、ロック部４２が溝２２に嵌入されるものの、溝２２内にてロック受け部１２よりも奥側にロック部４２が位置してロック受け部１２の陰に隠れているから、ロック部４２がフード部４４の前方（雌ハウジング１０側を基準にすると、雌ハウジング１０の後方）から視認されることはない。一方、雌ハウジング１０が所定深さまで嵌合されると、被ロック部４１の前面にロックアーム１１のロック突起２０が当接してロックアーム１１が弾性変形される。
【００２５】
雌ハウジング１０が正規の嵌合位置まで嵌合されると、図１３に示すように、ロック突起２０が逃し凹部４６に進入してロックアーム１１が復元するとともに、ロック突起２０の後面が被ロック部４１の後面に係合し、両ハウジング１０，４０が離脱規制された状態で嵌合保持される。このロックアーム１１が弾性変形される間、図１０に示すように、ロック部４２もロック受け部１２の嵌合案内面に乗り上げて弾性変形される。そして、ロックアーム１１が復元してロック突起２０が被ロック部４１を係止するのに伴ない、図１１に示すように、ロック部４２もロック受け部１２を乗り越えて元姿勢に弾性復元するとともにロック受け部１２を抜け止め状態で係止する。ロック部４２は、図１４に示すように、ロック受け部１２を乗り越えることで溝２２内においてロック受け部１２よりも手前に位置することになる。このとき、ロック部４２は、金色の光沢を発しているから、フード部４４の前方からその存在を容易に視認でき、これにより、両ハウジング１０，４０が正規の嵌合位置に至ったことがわかる。
【００２６】
一方、作業者の勘違い等によって両ハウジング１０，４０が正規の嵌合位置に至らない半嵌合位置に留め置かれると、ロック部４２は、ロック受け部１２を乗り越えることができず、フード部４４の前方から視てロック受け部１２の陰に隠れた状態のままとなるから、フード部４４の前方から目視されることはなく、これにより、両ハウジング１０，４０が正規の嵌合位置に達していないことがわかる。その場合には、雌ハウジング１０をさらに押し込むことで、正規の嵌合位置に至らしめるようにする。すると、ロック部４２がロック受け部１２を乗り越えて溝２２内にてロック受け部１２よりも手前に位置するようになるから、フード部４４の前方からロック部４２の存在を視認できる。
【００２７】
その後、メンテナンス等の事情により雄ハウジング４０から雌ハウジング１０を離脱させる際には、押圧操作部１９を上方から指で下方へ押すことで、ロックアーム１１を強制的に弾性変形させる。すると、押圧操作部１９がその幅方向両端部を基端として下方へ変位するとともに、ロック突起４１が逃し凹部４６から抜け出るから、その状態で雌ハウジング１０を後方へ引っ張ることで、雄ハウジング４０から雌ハウジング１０を離脱させる。この間、ロック部４２は、ロック受け部１２の離脱案内面２４に沿って摺動しつつ弾性変形することで、雌ハウジング１０の離脱動作を許容する。つまり、ロック部４２とロック受け部１２とは、雄ハウジング４０から雌ハウジング１０を引き離す際に、所定以上の力が作用した場合にそのロック状態を解除可能なセミロック構造となっている。
【００２８】
以上のように、本実施形態によれば、雌ハウジング１０を雄ハウジング４０のフード部４４に嵌合させる際に、嵌合のし始めにおいて金属製のロック部４２がフード部４４の前方から視てロック受け部１２の影に隠れており、嵌合が進行してロック部４２がロック受け部１２を撓み変形しつつ弾性的に乗り越えると、ロック部４２がロック受け部１２に抜け止め状態で係止されるとともにフード部４４の前方から目視可能に現れるようになっているから、フード部４４の前方からロック部４２が目視されることをもって両ハウジング１０，４０が正規嵌合状態に至ったことを検知できる。特に、本実施形態の場合には、雄ハウジング４０がケース９６内に収容されることで、嵌合状態を視認する方向がフード部４４の前方からのみに限られるという制約があるので、本実施形態を利用する価値が高いといえる。この場合に、ロック部４２が金属光沢を発するから、視認性が良好であり、また、ロック部４２に光沢めっきを施せば、視認性がより一層良好となる。
【００２９】
さらに、フード部４４の外側面に雄ハウジング４０を回路基板９５に取付けるための金属製の固定部材４７が装着されており、この固定部材４７の両側板４９の一部がフード部４４の壁を貫通してフード部４４の内側面に臨むことでロック部４２が構成されているから、固定部材４７の一部によってロック部４２を賄うことができ、部品点数を削減できる。特に、固定部材４７が金属製であることから、回路基板９５に対して半田付けにより固定でき、作業性が良好となる。
【００３０】
＜実施形態２＞
次に、本発明の実施形態２を図１５ないし図１７によって説明する。実施形態２では、ロック部４２とロック受け部１２の構造が実施形態１と異なっている。その他は、実施形態１とほぼ同様であるので、同じ構造部位には同一の符号を付すこととし、重複する説明は省略する。
【００３１】
実施形態２に係るロック部４２Ａは、図１５及び図１６に示すように、固定部材４７の両側板４９の後端縁に開口する十の字形の切り込み５５Ａを入れ、その切り込み５５Ａ間に形成される切り込み片のうち十の字の交差部分が最内に位置するよう、この切り込み片を内側に叩き出すことで形成されている。詳しくはロック部４２Ａは、両側板４９の前端縁近傍位置から後方へ向けて延出されるロック本体部４２Ｂ（実施形態１のロック部４２に相当）と、このロック本体部４２Ｂの幅方向両側縁からその延出方向と直交する上下方向に突出する上下一対の案内片４２Ｅとにより構成され、各案内片４２Ｅは、ロック本体部４２Ｂよりも幅狭に形成され、かつ、十の字の交差領域を頂上として各案内片４２Ｅとロック本体部４２Ｂとが外側に向かって末広がりに拡開するような形態とされている。
【００３２】
また、雄ハウジング４０に形成された装着孔５２Ａは、上記ロック部４２を貫通させるべくロック部４２と対応する十の字形をなす形態とされている。さらに、雌ハウジング１０に形成された溝２２Ａは、図１７に示すように、各案内片４２Ｅを逃すべく実施形態１の溝２２よりも溝幅を広げた形態とされている。
【００３３】
実施形態２によれば、上方から固定部材４７を雄ハウジング４０に装着する過程で、上下一対の案内片４２Ｅのうち下側の案内片４２Ｅが、その傾斜面に沿って雄ハウジング４０の上面の幅方向両側縁を摺動し、もってロック部４２Ａが外側に撓み変形するよう誘導するから、固定部材４７の装着作業を円滑に行うことができる。一方、固定部材４７を上方へ持ち上げて雄ハウジング４０から離脱させる際には、その離脱過程で、上下一対の案内片４２Ｅのうち上側の案内片４２Ｅが、その傾斜面に沿って装着孔５２Ａの孔縁を摺動し、もってロック部４２Ａが外側に撓み変形するよう誘導するから、固定部材４７の離脱作業も円滑に行うことができる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、ロック部が弾性撓み可能とされ、両ハウジングの嵌合離脱過程で、ロック部がロック受け部に乗り上げられる構成とされていたが、本発明においては、これとは逆に、ロック受け部が弾性撓み可能とされ、両ハウジングの嵌合離脱過程で、ロック受け部がロック部に乗り上げられる構成とされてもよい。
（２）上記実施形態では、ロック部と固定部材とが一体に設けられていたが、本発明においては、ロック部と固定部材とが独立して設けられていてもよい。
（３）上記実施形態では、雄ハウジングが回路基板に固定されるものであったが、本発明においては、雄ハウジングが電線の端末に設けられるものであってもよい。
【００３５】
（３）本発明においては、ロック部の一部をフード部内に突出する雄端子金具に接触させ、雌ハウジングの嵌合に伴ないその接触状態が解除されるようにして、ロック部にショート端子としての機能を持たせてもよい。また、雌ハウジングの溝を利用して前方から溝内に検知プローブを進入させ、その検知プローブの先端をロック部に接触させることで、導通検査ができるようにしても構わない。
【図面の簡単な説明】
【００３６】
【図１】本発明の実施形態１に係る雌ハウジングの背面図
【図２】雌ハウジングの正面図
【図３】雄ハウジングの正面図
【図４】雄ハウジングと固定部材の分解側面図
【図５】固定部材が装着された雄ハウジングの側面図
【図６】固定部材の正面図
【図７】雄ハウジングと固定部材の分解平面図
【図８】雄ハウジングがケースに収容された状態を示す平面図
【図９】雄ハウジングに雌ハウジングを嵌合させる前の状態を示す横断面図
【図１０】雄ハウジングに雌ハウジングを嵌合させる途中の状態を示す横断面図
【図１１】雄ハウジングに雌ハウジングを嵌合させた状態を示す横断面図
【図１２】雄ハウジングに雌ハウジングを嵌合させる前の状態を示す側断面図
【図１３】雄ハウジングに雌ハウジングを嵌合させた状態を示す側断面図
【図１４】雄ハウジングに雌ハウジングを嵌合させた状態を示す背面図
【図１５】本発明の実施形態２に係る固定部材の正面図
【図１６】固定部材が装着された雄ハウジングの側面図
【図１７】雄ハウジングに雌ハウジングを嵌合させた状態を示す背面図
【符号の説明】
【００３７】
１０…雌ハウジング
１１…ロックアーム
１３…キャビティ
２２…溝
４０…雄ハウジング
４１…ロック突起
４２…ロック部
４４…フード部
４７…固定部材
９５…回路基板
【図１】
2005209370.tif 000003
【図２】
2005209370.tif 000004
【図３】
2005209370.tif 000005
【図４】
2005209370.tif 000006
【図５】
2005209370.tif 000007
【図６】
2005209370.tif 000008
【図７】
2005209370.tif 000009
【図８】
2005209370.tif 000010
【図９】
2005209370.tif 000011
【図１０】
2005209370.tif 000012
【図１１】
2005209370.tif 000013
【図１２】
2005209370.tif 000014
【図１３】
2005209370.tif 000015
【図１４】
2005209370.tif 000016
【図１５】
2005209370.tif 000017
【図１６】
2005209370.tif 000018
【図１７】
2005209370.tif 000019